(57)【要約】【課題】  電話回線の異常を送信信号のループ信号レベルによって容易に検出することができる非常通報装置を提供する。【解決手段】  エレベータやビル内設備の異常をアナログ電話回線を介して遠隔地から監視、制御し得るようにした非常通報装置１において、モデム信号及びＰＢ信号等を使ってデータを送受信するモデム３、データを非常通報装置と公衆電話網１０のアナログ電話回線との間で変換し、データ通信を行なうハイブリット回路６、ハイブリット回路と公衆電話網とを接続する網制御装置７、ハイブリット回路の送信信号のループ信号のレベルを検出するレベル検出器８、上記レベル検出器で検出されたループ信号のレベル情報を格納する記憶装置９及び記憶装置に格納されたループ信号のレベル情報を比較することにより、アナログ電話回線の異常を検知する中央処理装置２を備えた構成とする。【選択図】図１
2005086255.tif 000002
【特許請求の範囲】
【請求項１】
エレベータやビル内設備の異常をアナログ電話回線を介して遠隔地から監視、制御し得るようにした非常通報装置において、モデム信号及びＰＢ信号等を使ってデータを送受信するモデム、上記データを非常通報装置と公衆電話網のアナログ電話回線との間で変換し、データ通信を行なうハイブリット回路、上記ハイブリット回路と上記公衆電話網とを接続する網制御装置、上記ハイブリット回路の送信信号のループ信号のレベルを検出するレベル検出器、上記レベル検出器で検出されたループ信号のレベル情報を格納する記憶装置及び上記記憶装置に格納されたループ信号のレベル情報を比較することにより、上記アナログ電話回線の異常を検知する中央処理装置を備えた非常通報装置。
【請求項２】
上記ハイブリット回路のデータ変換は、２線４線変換であることを特徴とする請求項１記載の非常通報装置。
【発明の詳細な説明】
【技術分野】
【０００１】
この発明は、非常通報装置、特にエレベータやビル内設備の状態の異常をアナログ電話回線を介して遠隔地から監視、制御する非常通報装置に関するものである。
【背景技術】
【０００２】
従来の非常通報装置は、モデム信号及びＰＢ信号等を使ってデータを送受信するモデムと、上記データを非常通報装置と公衆電話網のアナログ電話回線との間で変換（２線４線変換）し、データ通信を行なうハイブリット回路と、上記ハイブリット回路及び上記公衆電話網とを接続する網制御装置とを備え、モデム信号及びＰＢ信号等を使用して公衆電話網との間でデータを送受信し、遠隔地から制御を行なうことができるようになっていた。
（例えば特許文献１参照）。
【０００３】
【特許文献１】特開平１０−２６１１８２号公報（段落００１６−００２３、図１）
【発明の開示】
【発明が解決しようとする課題】
【０００４】
従来の非常通報装置は以上のように構成されていたため、電話回線が故障または地絡などの異常により通信が不安定になっても、そのままの状態で通信を行ない運用していた。
従って、電話回線側の切断等で不通となった場合には、電話回線の異常が即座に分かるが、中途半端な異常状態などの場合には、通信エラーが多発する、期待する通信速度がでない、データ化けが起こる、音声通話にノイズが混入するなどの症状が生じ、ある程度通信可能な状況では、異常が見付けにくく、復旧に時間を要するという問題点があった。
【０００５】
この発明は、上記のような問題点を解消するためになされたもので、電話回線の異常を容易に検出することができる非常通報装置を提供することを目的とする。
【課題を解決するための手段】
【０００６】
この発明に係る非常通報装置は、エレベータやビル内設備の異常をアナログ電話回線を介して遠隔地から監視、制御し得るようにした非常通報装置において、モデム信号及びＰＢ信号等を使ってデータを送受信するモデム、上記データを非常通報装置と公衆電話網のアナログ電話回線との間で変換し、データ通信を行なうハイブリット回路、上記ハイブリット回路と上記公衆電話網とを接続する網制御装置、上記ハイブリット回路の送信信号のループ信号のレベルを検出するレベル検出器、上記レベル検出器で検出されたループ信号のレベル情報を格納する記憶装置及び上記記憶装置に格納されたループ信号のレベル情報を比較することにより、上記アナログ電話回線の異常を検知する中央処理装置を備えたものである。
【発明の効果】
【０００７】
この発明に係る非常通報装置は以上のように構成され、常時送信信号のループ信号レベルを測定して記憶し、電話回線が正常な時の送信信号のループ信号レベルと電話回線が異常な時の送信信号のループ信号レベルを比較できるようにしたため、電話回線の異常により、２線４線を変換するハイブリット回路の電話回線側の平衡度（６００Ω）が崩れると、マッチングが取れず、ハイブリット回路内のループ信号レベルが変化するため、ループ信号レベルを検出することにより、回線の異常を容易に検出することができると共に、従来、作業者が確認しに行っていた作業を自動化することができる。また、定量的に確認できない電話回線の異常を常時監視できるので、通信が不安定になる要因を事前に推測することができる。
【発明を実施するための最良の形態】
【０００８】
実施の形態１．
以下、この発明の実施の形態１を図にもとづいて説明する。図１は、実施の形態１の構成を示すブロック図である。
この図において、非常通信装置１は、モデム信号及びＰＢ信号等を使ってデータを送受信するモデム３と、上記データを送信アンプ４及び受信アンプ５を介して非常通報装置と公衆電話網１０のアナログ電話回線との間で変換（２線４線変換）し、データ通信を行なうハイブリット回路６と、上記ハイブリット回路６と上記公衆電話網１０とを接続する網制御装置７と、上記ハイブリット回路６の送信信号のループ信号のレベルを検出測定するレベル検出器８と、上記レベル検出器８で検出されたループ信号のレベル情報を格納する記憶装置９と、上記記憶装置９に格納されたループ信号のレベル情報を比較することにより、上記アナログ電話回線の異常を検知する中央処理装置２とから構成されている。
【０００９】
次に、実施の形態１の動作について説明する。非常通信装置１はアナログ電話回線を介して公衆電話網１０に接続されている。データ受信時には、公衆電話網１０からのデータは網制御装置７を介してハイブリット回路６で周知の２線４線変換を行ない、受信アンプ５を通してモデム３へデータを受信する。
【００１０】
また、データ送信時には、モデム３は送信アンプ４を通してハイブリット回路６で２線４線変換を行ない、網制御装置７を介して公衆電話網１０へデータを通信する。
この時、送信信号はハイブリット回路６を通して受信アンプ５側へ送信信号ループとして一定量の信号レベルが漏れてくる。この漏れ信号のレベルをレベル検出器８で検出して測定し、その測定結果を記憶装置９へ記録する。
【００１１】
次に、公衆電話網１０の異常によりアナログ電話回線の平衡度（６００Ω）が崩れると、２線４線を変換するハイブリット回路６で発生する一定量の漏れ信号のレベルが変化する。この状態でハイブリット回路６を通して受信アンプ５側へ漏れてくる送信信号レベルをレベル検出器８で測定し、その測定結果を正常時に記憶装置９へ記録していた値と比較する。
その結果、正常時に記憶装置９へ記録していた値と異なる場合には、公衆電話網１０の異常として判断する。
【図面の簡単な説明】
【００１２】
【図１】この発明の実施の形態１の構成を示すブロック図である。
【符号の説明】
【００１３】
１  非常通報装置、
２  中央処理装置、
３  モデム、
４  送信アンプ、
５  受信アンプ、
６  ハイブリット回路、
７  網制御装置、
８  レベル検出器、
９  記憶装置、
１０  公衆電話網。
【図１】
2005086255.tif 000003